(57)【要約】【課題】特定セルにおいてのみ利用可能な第１オフセット値及び他セルにおいても利用可能な第２オフセット値を設定する。【解決手段】本発明に係る移動通信方法は、無線基地局ｅＮＢが、第１セルを待ち受けセルとしている移動局ＵＥに対して、第１セルの周辺セルにおける通信品質に対するオフセット値を通知する工程Ａと、移動局ＵＥが、オフセット値を用いて周辺セルのいずれかに対してセル再選択を行うか否かについて判定する工程Ｂとを有しており、工程Ａにおいて、無線基地局ｅＮＢは、オフセット値の各々が第１セルにおいてのみ利用可能な第１オフセット値であるか或いは他セルにおいても利用可能な第２オフセット値であるかについて通知する。【選択図】図６
2009147469.tif 000002
【特許請求の範囲】
【請求項１】
無線基地局が、第１セルを待ち受けセルとしている移動局に対して、該第１セルの周辺セルにおける通信品質に対するオフセット値を通知する工程Ａと、
前記移動局が、前記オフセット値を用いて、前記周辺セルのいずれかに対してセル再選択を行うか否かについて判定する工程Ｂとを有しており、
前記工程Ａにおいて、前記無線基地局は、前記オフセット値の各々が、前記第１セルにおいてのみ利用可能な第１オフセット値であるか、或いは、他セルにおいても利用可能な第２オフセット値であるかについて通知することを特徴とする移動通信方法。
【請求項２】
無線基地局が、第１セルをサービングセルとしている移動局に対して、該第１セルの周辺セルにおける通信品質に対するオフセット値を通知する工程Ａと、
前記移動局が、前記オフセット値を用いて、前記無線基地局に対して測定報告を通知するか否かについて判定する工程Ｂとを有しており、
前記工程Ａにおいて、前記無線基地局は、前記オフセット値の各々が、前記第１セルにおいてのみ利用可能な第１オフセット値であるか、或いは、他セルにおいても利用可能な第２オフセット値であるかについて通知することを特徴とする移動通信方法。
【請求項３】
前記工程Ａにおいて、前記無線基地局は、前記第１オフセット値及び前記第２オフセット値を別々に通知することを特徴とする請求項１又は２に記載の移動通信方法。
【請求項４】
前記工程Ａにおいて、前記無線基地局は、前記オフセット値に対して、該オフセット値が前記第１オフセット値又は前記第２オフセット値のいずれであるのかについて示すフラグを付加して通知することを特徴とする請求項１又は２に記載の移動通信方法。
【請求項５】
前記無線基地局が、前記第１セルにおける通信品質に対するオフセット値を通知する工程Ｃを更に有し、
前記工程Ｃにおいて、前記無線基地局は、前記第１セルにおける通信品質に対するオフセット値が、該第１セルにおいてのみ利用可能な第１オフセット値であるか、或いは、他セルにおいても利用可能な第２オフセット値であるかについて通知することを特徴とする請求項１又は２に記載の移動通信方法。
【請求項６】
前記移動局は、前記周辺セル内の第２セルに対してセル再選択を行った後、該第２セルの周辺セルにおける通信品質に対するオフセット値或いは該第２セルにおける通信品質に対するオフセット値が通知された場合には、通知された該オフセット値によって、前記第２オフセット値を更新することを特徴とする請求項１に記載の移動通信方法。
【請求項７】
前記移動局は、前記周辺セル内の第２セルに対してハンドオーバを行った後、該第２セルの周辺セルにおける通信品質に対するオフセット値或いは該第２セルにおける通信品質に対するオフセット値が通知された場合には、通知された該オフセット値によって、前記第２オフセット値を更新することを特徴とする請求項２に記載の移動通信方法。
【請求項８】
第１セルを待ち受けセルとしている場合に、無線基地局から通知された該第１セルの周辺セルにおける通信品質に対するオフセット値を受信するように構成されているオフセット値受信部と、
前記オフセット値を用いて、前記周辺セルのいずれかに対してセル再選択を行うか否かについて判定するように構成されているセル再選択処理部とを具備しており、
前記オフセット値受信部は、前記無線基地局によって、前記オフセット値の各々が、前記第１セルにおいてのみ利用可能な第１オフセット値であるか、或いは、他セルにおいても利用可能な第２オフセット値であるかについて通知されるように構成されていることを特徴とする移動局。
【請求項９】
第１セルをサービングセルとしている場合に、無線基地局から通知された該第１セルの周辺セルにおける通信品質に対するオフセット値を受信するように構成されているオフセット値受信部と、
前記オフセット値を用いて、前記無線基地局に対して測定報告を通知するか否かについて判定するように構成されている測定報告送信部とを具備しており、
前記オフセット値受信部は、前記無線基地局によって、前記オフセット値の各々が、前記第１セルにおいてのみ利用可能な第１オフセット値であるか、或いは、他セルにおいても利用可能な第２オフセット値であるかについて通知されるように構成されていることを特徴とする移動局。
【請求項１０】
前記オフセット値受信部は、前記無線基地局によって別々に通知された前記第１オフセット値及び前記第２オフセット値を受信するように構成されていることを特徴とする請求項８又は９に記載の移動局。
【請求項１１】
前記オフセット値受信部は、前記オフセット値に対して付加されているフラグに基づいて、該オフセット値が前記第１オフセット値又は前記第２オフセット値のいずれであるのかについて判断するように構成されていることを特徴とする請求項８又は９に記載の移動局。
【請求項１２】
前記オフセット値受信部は、更に、前記無線基地局によって通知された前記第１セルにおける通信品質に対するオフセット値を受信するように構成されており、
前記オフセット値受信部は、前記無線基地局によって、前記第１セルにおける通信品質に対するオフセット値が、該第１セルにおいてのみ利用可能な第１オフセット値であるか、或いは、他セルにおいても利用可能な第２オフセット値であるかについて通知されるように構成されていることを特徴とする請求項８又は９に記載の移動局。
【請求項１３】
前記オフセット値受信部は、前記周辺セル内の第２セルに対してセル再選択を行った後、該第２セルの周辺セルにおける通信品質に対するオフセット値或いは該第２セルにおける通信品質に対するオフセット値が通知された場合には、通知された該オフセット値によって、前記第２オフセット値を更新するように構成されていることを特徴とする請求項８に記載の移動局。
【請求項１４】
前記オフセット値受信部は、前記周辺セル内の第２セルに対してハンドオーバを行った後、該第２セルの周辺セルにおける通信品質に対するオフセット値或いは該第２セルにおける通信品質に対するオフセット値が通知された場合には、通知された該オフセット値によって、前記第２オフセット値を更新するように構成されていることを特徴とする請求項９に記載の移動局。
【請求項１５】
第１セルを待ち受けセルとしている移動局が、該第１セルの周辺セルにおける通信品質に対するオフセット値を用いて、該周辺セルのいずれかに対してセル再選択を行うか否かについて判定する移動通信システムで用いられる無線基地局であって、
前記移動局に対して、前記オフセット値を通知するように構成されているオフセット値通知部を具備しており、
前記オフセット値通知部は、前記オフセット値の各々が、前記第１セルにおいてのみ利用可能な第１オフセット値であるか、或いは、他セルにおいても利用可能な第２オフセット値であるかについて通知するように構成されていることを特徴とする無線基地局。
【請求項１６】
第１セルをサービングセルとしている移動局が、該第１セルの周辺セルにおける通信品質に対するオフセット値を用いて、前記無線基地局に対して測定報告を通知するか否かについて判定する移動通信システムで用いられる無線基地局であって、
前記移動局に対して、前記オフセット値を通知するように構成されているオフセット値通知部と、
前記移動局によって通知された前記測定報告に基づいて、該移動局が前記周辺セルのいずれかに対してハンドオーバすべきか否かについて判定するように構成されているハンドオーバ処理部とを具備しており、
前記オフセット値通知部は、前記オフセット値の各々が、前記第１セルにおいてのみ利用可能な第１オフセット値であるか、或いは、他セルにおいても利用可能な第２オフセット値であるかについて通知するように構成されていることを特徴とする無線基地局。
【請求項１７】
前記オフセット値通知部は、前記第１オフセット値及び前記第２オフセット値を別々に通知するように構成されていることを特徴とする請求項１５又は１６に記載の無線基地局。
【請求項１８】
前記オフセット値通知部は、前記オフセット値に対して、該オフセット値が前記第１オフセット値又は前記第２オフセット値のいずれであるのかについて示すフラグを付加して通知するように構成されていることを特徴とする請求項１５又は１６に記載の無線基地局。
【請求項１９】
前記オフセット値通知部は、前記第１セルにおける通信品質に対するオフセット値、及び、該第１セルにおける通信品質に対するオフセット値が、該第１セルにおいてのみ利用可能な第１オフセット値であるか、或いは、他セルにおいても利用可能な第２オフセット値であるかについて通知するように構成されていることを特徴とする請求項１５又は１６に記載の無線基地局。
【発明の詳細な説明】
【技術分野】
【０００１】
本発明は、移動通信方法、移動局及び無線基地局に関する。
【背景技術】
【０００２】
従来の移動通信システムにおいて、第１セルにおいて待ち受けを行っているＩｄｌｅ状態の移動局ＵＥは、以下の（式１）が満たされる場合、待ち受けセルを第１セルから第２セルに切り替えるセル再選択を行うように構成されている。
Ｑｎ＋Ｏｆｆｓｅｔｎ＞Ｑｓ＋Ｏｆｆｓｅｔｓ＋Ｈｙｓｔ  …  （式１）
【０００３】
ここで、「Ｑｓ」は、第１セルにおける通信品質であり、「Ｑｎ」は、第１セルの周辺セル（第２セル）における通信品質である。ここで、通信品質としては、例えば、「ＲＳＲＰ（Ｒｅｆｅｒｅｎｃｅ  Ｓｉｇｎａｌ  Ｒｅｃｅｉｖｅｄ  Ｐｏｗｅｒ）」や「ＲＳＲＱ（Ｒｅｆｅｒｅｎｃｅ  Ｓｉｇｎａｌ  Ｒｅｃｅｉｖｅｄ  Ｑｕａｌｉｔｙ）」等が想定される。
【０００４】
また、「Ｏｆｆｓｅｔｓ」は、第１セルにおける通信品質に対するオフセット値であり、「Ｏｆｆｓｅｔｎ」は、第２セルにおける通信品質に対するオフセット値であり、「Ｈｙｓｔ」は、第１セルの形状や周囲環境を考慮して設定されているパラメータで、頻繁なセル再選択やピンポン防止のために用いられる。
【０００５】
また、同様に、従来の移動通信システムにおいて、第１セルをサービングセルとしているＡｃｔｉｖｅ状態の移動局ＵＥは、上述の（式１）が満たされる場合、第１セルを管理している無線基地局に対して測定報告（Ｍｅａｓｕｒｅｍｅｎｔ  Ｒｅｐｏｒｔ）を送信し、当該無線基地局からの指示に従ってサービングセルを第１セルから第２セルに切り替えるハンドオーバを行うように構成されている。
【０００６】
ここで、上述のように、「Ｏｆｆｓｅｔｓ」及び「Ｏｆｆｓｅｔｎ」を用いてセル再選択及びハンドオーバの制御を行う第１の理由は、移動局ＵＥの待ち受けセル或いはサービングセルの特定セルへの切り替えを容易或いは困難にすることである。
【０００７】
例えば、図８に示すように、無線基地局＃１が、建物Ａ内に設けられており、移動局ＵＥが、かかる建物Ａ内に位置する場合、できる限り、移動局ＵＥの待ち受けセル或いはサービングセルを、無線基地局＃１配下のセル＃１とすることが好ましいケースが想定される。
【０００８】
かかるケースでは、移動局ＵＥの待ち受けセル或いはサービングセルのセル＃１からセル＃２（建物Ａの外部に設けられている無線基地局＃２配下のセル）への切り替えを困難にするように設計する必要がある一方、移動局ＵＥの待ち受けセル或いはサービングセルのセル＃３（建物Ａの外部に設けられている無線基地局＃３配下のセル）からセル＃２への切り替えについては困難にするように設計する必要はない。
【０００９】
すなわち、かかるケースでは、「Ｏｆｆｓｅｔｓ」及び「Ｏｆｆｓｅｔｎ」の値を設定することによって、上述のような設計を行うことができる。
【００１０】
また、「Ｏｆｆｓｅｔｓ」及び「Ｏｆｆｓｅｔｎ」を用いてセル再選択及びハンドオーバの制御を行う第２の理由は、各無線基地局におけるケーブル損失差による上下リンクのアンバランスを緩和することである。
【００１１】
例えば、図９に示すように、無線基地局＃１におけるケーブル損失が「３ｄＢ」であり、無線基地局＃２におけるケーブル損失が「８ｄＢ」である場合、送受信装置＃１から出力される下りリンク用信号の送信電力と送受信装置＃２から出力される下りリンク用信号の送信電力とが異なるため、移動局ＵＥの待ち受けセル或いはサービングセルの最適な切り替え地点は「Ｘ」ではなく「Ｙ」となるケースが想定される。
【００１２】
かかるケースでは、「Ｏｆｆｓｅｔｓ」及び「Ｏｆｆｓｅｔｎ」の値を設定することによって、移動局ＵＥの待ち受けセル或いはサービングセルの最適な切り替え地点の調整を行うことができる。
【非特許文献１】３ＧＰＰ  ＴＳＧ  ＲＡＮ  ＷＧ２  ＃５８ｂｉｓ、Ｔｄｏｃ-Ｒ２-０７２７２１、Ｊｕｎｅ  ２００７
【発明の開示】
【発明が解決しようとする課題】
【００１３】
ここで、図８に示すケースでは、どのセルからどのセルへの切り替えかによって、上述の「Ｏｆｆｓｅｔｓ」及び「Ｏｆｆｓｅｔｎ」の値を変更する必要がある一方、図９に示すケースでは、各無線基地局におけるケーブル損失は決まっているため、どのセルからどのセルへの切り替えかによって、上述の「Ｏｆｆｓｅｔｓ」及び「Ｏｆｆｓｅｔｎ」の値を変更する必要はない。
【００１４】
しかしながら、従来の移動通信システムでは、上述の両ケースが存在することを想定して、上述の「Ｏｆｆｓｅｔｓ」及び「Ｏｆｆｓｅｔｎ」の値を設定するように構成されていないという問題点があった。
【００１５】
そこで、本発明は、上述の課題に鑑みてなされたものであり、特定セルにおいてのみ利用可能な第１オフセット値及び他セルにおいても利用可能な第２オフセット値を設定することができる移動通信方法、移動局及び無線基地局を提供することを目的とする。
【課題を解決するための手段】
【００１６】
本発明の第１の特徴は、移動通信方法であって、無線基地局が、第１セルを待ち受けセルとしている移動局に対して、該第１セルの周辺セルにおける通信品質に対するオフセット値を通知する工程Ａと、前記移動局が、前記オフセット値を用いて、前記周辺セルのいずれかに対してセル再選択を行うか否かについて判定する工程Ｂとを有しており、前記工程Ａにおいて、前記無線基地局は、前記オフセット値の各々が、前記第１セルにおいてのみ利用可能な第１オフセット値であるか、或いは、他セルにおいても利用可能な第２オフセット値であるかについて通知することを要旨とする。
【００１７】
本発明の第２の特徴は、移動通信方法であって、無線基地局が、第１セルをサービングセルとしている移動局に対して、該第１セルの周辺セルにおける通信品質に対するオフセット値を通知する工程Ａと、前記移動局が、前記オフセット値を用いて、前記無線基地局に対して測定報告を通知するか否かについて判定する工程Ｂとを有しており、前記工程Ａにおいて、前記無線基地局は、前記オフセット値の各々が、前記第１セルにおいてのみ利用可能な第１オフセット値であるか、或いは、他セルにおいても利用可能な第２オフセット値であるかについて通知することを要旨とする。
【００１８】
本発明の第１及び第２の特徴において、前記工程Ａにおいて、前記無線基地局は、前記第１オフセット値及び前記第２オフセット値を別々に通知してもよい。
【００１９】
本発明の第１及び第２の特徴において、前記工程Ａにおいて、前記無線基地局は、前記オフセット値に対して、該オフセット値が前記第１オフセット値又は前記第２オフセット値のいずれであるのかについて示すフラグを付加して通知してもよい。
【００２０】
本発明の第１及び第２の特徴において、前記無線基地局が、前記第１セルにおける通信品質に対するオフセット値を通知する工程Ｃを更に有し、前記工程Ｃにおいて、前記無線基地局は、前記第１セルにおける通信品質に対するオフセット値が、該第１セルにおいてのみ利用可能な第１オフセット値であるか、或いは、他セルにおいても利用可能な第２オフセット値であるかについて通知してもよい。
【００２１】
本発明の第１の特徴において、前記移動局は、前記周辺セル内の第２セルに対してセル再選択を行った後、該第２セルの周辺セルにおける通信品質に対するオフセット値或いは該第２セルにおける通信品質に対するオフセット値が通知された場合には、通知された該オフセット値によって、前記第２オフセット値を更新してもよい。
【００２２】
本発明の第２の特徴において、前記移動局は、前記周辺セル内の第２セルに対してハンドオーバを行った後、該第２セルの周辺セルにおける通信品質に対するオフセット値或いは該第２セルにおける通信品質に対するオフセット値が通知された場合には、通知された該オフセット値によって、前記第２オフセット値を更新してもよい。
【００２３】
本発明の第３の特徴は、移動局であって、第１セルを待ち受けセルとしている場合に、無線基地局から通知された該第１セルの周辺セルにおける通信品質に対するオフセット値を受信するように構成されているオフセット値受信部と、前記オフセット値を用いて、前記周辺セルのいずれかに対してセル再選択を行うか否かについて判定するように構成されているセル再選択処理部とを具備しており、前記オフセット値受信部は、前記無線基地局によって、前記オフセット値の各々が、前記第１セルにおいてのみ利用可能な第１オフセット値であるか、或いは、他セルにおいても利用可能な第２オフセット値であるかについて通知されるように構成されていることを要旨とする。
【００２４】
本発明の第４の特徴は、移動局であって、第１セルをサービングセルとしている場合に、無線基地局から通知された該第１セルの周辺セルにおける通信品質に対するオフセット値を受信するように構成されているオフセット値受信部と、前記オフセット値を用いて、前記無線基地局に対して測定報告を通知するか否かについて判定するように構成されている測定報告送信部とを具備しており、前記オフセット値受信部は、前記無線基地局によって、前記オフセット値の各々が、前記第１セルにおいてのみ利用可能な第１オフセット値であるか、或いは、他セルにおいても利用可能な第２オフセット値であるかについて通知されるように構成されていることを要旨とする。
【００２５】
本発明の第３及び第４の特徴において、前記オフセット値受信部は、前記無線基地局によって別々に通知された前記第１オフセット値及び前記第２オフセット値を受信するように構成されていてもよい。
【００２６】
本発明の第３及び第４の特徴において、前記オフセット値受信部は、前記オフセット値に対して付加されているフラグに基づいて、該オフセット値が前記第１オフセット値又は前記第２オフセット値のいずれであるのかについて判断するように構成されていてもよい。
【００２７】
本発明の第３及び第４の特徴において、前記オフセット値受信部は、更に、前記無線基地局によって通知された前記第１セルにおける通信品質に対するオフセット値を受信するように構成されており、前記オフセット値受信部は、前記無線基地局によって、前記第１セルにおける通信品質に対するオフセット値が、該第１セルにおいてのみ利用可能な第１オフセット値であるか、或いは、他セルにおいても利用可能な第２オフセット値であるかについて通知されるように構成されていてもよい。
【００２８】
本発明の第３の特徴において、前記オフセット値受信部は、前記周辺セル内の第２セルに対してセル再選択を行った後、該第２セルの周辺セルにおける通信品質に対するオフセット値或いは該第２セルにおける通信品質に対するオフセット値が通知された場合には、通知された該オフセット値によって、前記第２オフセット値を更新するように構成されていてもよい。
【００２９】
本発明の第４の特徴において、前記オフセット値受信部は、前記周辺セル内の第２セルに対してハンドオーバを行った後、該第２セルの周辺セルにおける通信品質に対するオフセット値或いは該第２セルにおける通信品質に対するオフセット値が通知された場合には、通知された該オフセット値によって、前記第２オフセット値を更新するように構成されていてもよい。
【００３０】
本発明の第５の特徴は、無線基地局であって、第１セルを待ち受けセルとしている移動局が、該第１セルの周辺セルにおける通信品質に対するオフセット値を用いて、該周辺セルのいずれかに対してセル再選択を行うか否かについて判定する移動通信システムで用いられる無線基地局であって、前記移動局に対して、前記オフセット値を通知するように構成されているオフセット値通知部を具備しており、前記オフセット値通知部は、前記オフセット値の各々が、前記第１セルにおいてのみ利用可能な第１オフセット値であるか、或いは、他セルにおいても利用可能な第２オフセット値であるかについて通知するように構成されていることを要旨とする。
【００３１】
本発明の第６の特徴は、無線基地局であって、第１セルをサービングセルとしている移動局が、該第１セルの周辺セルにおける通信品質に対するオフセット値を用いて、前記無線基地局に対して測定報告を通知するか否かについて判定する移動通信システムで用いられる無線基地局であって、前記移動局に対して、前記オフセット値を通知するように構成されているオフセット値通知部と、前記移動局によって通知された前記測定報告に基づいて、該移動局が前記周辺セルのいずれかに対してハンドオーバすべきか否かについて判定するように構成されているハンドオーバ処理部とを具備しており、前記オフセット値通知部は、前記オフセット値の各々が、前記第１セルにおいてのみ利用可能な第１オフセット値であるか、或いは、他セルにおいても利用可能な第２オフセット値であるかについて通知するように構成されていることを要旨とする。
【００３２】
本発明の第５及び第６の特徴において、前記オフセット値通知部は、前記第１オフセット値及び前記第２オフセット値を別々に通知するように構成されていてもよい。
【００３３】
本発明の第５及び第６の特徴において、前記オフセット値通知部は、前記オフセット値に対して、該オフセット値が前記第１オフセット値又は前記第２オフセット値のいずれであるのかについて示すフラグを付加して通知するように構成されていてもよい。
【００３４】
本発明の第５及び第６の特徴において、前記オフセット値通知部は、前記第１セルにおける通信品質に対するオフセット値、及び、該第１セルにおける通信品質に対するオフセット値が、該第１セルにおいてのみ利用可能な第１オフセット値であるか、或いは、他セルにおいても利用可能な第２オフセット値であるかについて通知するように構成されていてもよい。
【発明の効果】
【００３５】
以上説明したように、本発明によれば、特定セルにおいてのみ利用可能な第１オフセット値及び他セルにおいても利用可能な第２オフセット値を設定することができる移動通信方法、移動局及び無線基地局を提供することができる。
【発明を実施するための最良の形態】
【００３６】
（本発明の第１の実施形態に係る移動通信システムの構成）
図１乃至図５を参照して、本発明の第１の実施形態に係る移動通信システムの構成について説明する。
【００３７】
図１に示すように、本実施形態に係る移動通信システムは、セル＃１を管理する無線基地局＃１と、セル＃２を管理する無線基地局＃２と、セル＃３を管理する無線基地局＃３とを具備している。
【００３８】
以下、図１の例では、移動局ＵＥが、待ち受けセル或いはサービングセルを、セル＃１（第１セル）からセル＃２（第２セル）に切り替えるものとする。
【００３９】
図２に示すように、本実施形態に係る無線基地局ｅＮＢは、オフセット値通知部１１と、測定報告受信部１２と、ハンドオーバ処理部１３とを具備している。基本的に、無線基地局＃１乃至＃３の構成は同一であるため、以下、代表して、無線基地局＃１の構成について説明する。
【００４０】
オフセット値通知部１１は、移動局ＵＥに対して、セル＃１の周辺セル（セル＃２、＃３）における通信品質（例えば、ＲＳＲＰ或いはＲＳＲＱ等）に対するオフセット値（Ｏｆｆｓｅｔｎ）を通知するように構成されている。
【００４１】
また、オフセット値通知部１１は、セル＃１（第１セル）における通信品質（例えば、ＲＳＲＰ或いはＲＳＲＱ等）に対するオフセット値（Ｏｆｆｓｅｔｓ）を通知するように構成されている。
【００４２】
例えば、オフセット値通知部１１は、Ｉｄｌｅ状態の移動局ＵＥに対して、報知チャネルによって、かかるオフセット値（Ｏｆｆｓｅｔｓ及びＯｆｆｓｅｔｎ）を通知するように構成されていてもよい。
【００４３】
また、オフセット値通知部１１は、Ａｃｔｉｖｅ状態の移動局ＵＥに対して、個別チャネルによって、かかるオフセット値（Ｏｆｆｓｅｔｓ及びＯｆｆｓｅｔｎ）を通知するように構成されていてもよい。
【００４４】
また、オフセット値通知部１１は、図３及び図４に示すような「ＮＣＬ（Ｎｅｉｇｈｂｏｕｒ  Ｃｅｌｌ  Ｌｉｓｔ）」によって、かかるオフセット値（Ｏｆｆｓｅｔｓ及びＯｆｆｓｅｔｎ）を通知するように構成されていてもよい。
【００４５】
また、オフセット値通知部１１は、かかるオフセット値（Ｏｆｆｓｅｔｓ及びＯｆｆｓｅｔｎ）の各々が、セル＃１（第１セル）においてのみ利用可能な第１オフセット値であるか、或いは、他セル（セル＃２、＃３）においても利用可能な第２オフセット値であるかについて通知するように構成されている。
【００４６】
具体的には、図３に示すように、オフセット値通知部１１は、各オフセット値（セル＃１（待ち受けセル或いはサービングセル）、＃２、＃３における通信品質に対するオフセット値）に対して、当該オフセット値が第１オフセット値又は第２オフセット値のいずれであるのかについて示すフラグを付加して通知するように構成されていてもよい。
【００４７】
また、図４（ａ）及び図４（ｂ）に示すように、オフセット値通知部１１は、第１オフセット値及び第２オフセット値を別々に通知するように構成されていてもよい。ここで、図４（ａ）は、上述の第１オフセット値を通知するＮＣＬを示し、図４（ｂ）は、上述の第２オフセット値を通知するＮＣＬを示すものとする。
【００４８】
測定報告受信部１２は、移動局ＵＥによって通知された測定報告（Ｍｅａｓｕｒｅｍｅｎｔ  Ｒｅｐｏｒｔ）を受信するように構成されている。
【００４９】
ハンドオーバ処理部１３は、測定報告受信部１２によって受信された測定報告に基づいて、移動局ＵＥがセル＃１の周辺セル（セル＃２、＃３）のいずれかに対してハンドオーバすべきか否かについて判定するように構成されている。
【００５０】
ハンドオーバ処理部１３は、移動局ＵＥがセル＃１の周辺セル（例えば、セル＃２）に対してハンドオーバすべきであると判定した場合、その旨を示すハンドオーバ指示を当該移動局ＵＥに対して送信するように構成されている。
【００５１】
図５に示すように、本実施形態に係る移動局ＵＥは、オフセット値受信部２１と、セル再選択処理部２２と、測定報告送信部２３と、ハンドオーバ処理部２４とを具備している。
【００５２】
オフセット値受信部２１は、セル＃１（第１セル）を待ち受けセル或いはサービングセルとしている場合に、無線基地局＃１から通知されたセル＃１の周辺セル（セル＃２、＃３）における通信品質に対するオフセット値（Ｏｆｆｓｅｔｎ）を受信して管理するように構成されている。
【００５３】
また、オフセット値受信部２１は、セル＃１（第１セル）を待ち受けセル或いはサービングセルとしている場合に、無線基地局＃１から通知されたセル＃１における通信品質に対するオフセット値（Ｏｆｆｓｅｔｓ）を受信して管理するように構成されている。
【００５４】
なお、オフセット値受信部２１は、無線基地局＃１によって、受信したオフセット値（Ｏｆｆｓｅｔｎ及びＯｆｆｓｅｔｓ）の各々が、セル＃１においてのみ利用可能な第１オフセット値であるか、或いは、他セルにおいても利用可能な第２オフセット値であるかについて通知されるように構成されている。
【００５５】
例えば、オフセット値受信部２１は、図４（ａ）及び図４（ｂ）に示すように、無線基地局＃１によって別々に通知された第１オフセット値及び第２オフセット値を受信するように構成されていてもよい。
【００５６】
また、オフセット値受信部２１は、図３に示すように、受信したオフセット値（Ｏｆｆｓｅｔｎ及びＯｆｆｓｅｔｓ）に対して付加されているフラグに基づいて、かかるオフセット値（Ｏｆｆｓｅｔｎ及びＯｆｆｓｅｔｓ）が第１オフセット値又は第２オフセット値のいずれであるのかについて判断するように構成されていてもよい。
【００５７】
さらに、オフセット値受信部２１は、セル＃２に対してセル再選択を行った後（待ち受けセルをセル＃１からセル＃２に切り替えた後）、無線基地局＃２によってセル＃２の周辺セル（セル＃１、＃３）における通信品質に対するオフセット値或いはセル＃２における通信品質に対するオフセット値が通知された場合には、通知されたオフセット値によって、上述の第２オフセット値（例えば、セル＃１或いは＃２における通信品質に対するオフセット値）を更新するように構成されていてもよい。
【００５８】
また、オフセット値受信部２１は、セル＃２に対してハンドオーバを行った後（サービングセルをセル＃１からセル＃２に切り替えた後）、セル＃２の周辺セル（セル＃１、＃３）における通信品質に対するオフセット値或いはセル＃２における通信品質に対するオフセット値が通知された場合には、通知された該オフセット値によって、上述の第２オフセット値（例えば、セル＃１或いは＃２における通信品質に対するオフセット値）を更新するように構成されていてもよい。
【００５９】
セル再選択処理部２２は、セル＃１（第１セル）を待ち受けセルとしている場合に、オフセット値受信部２１によって受信されたセル＃１の周辺セル（セル＃２、＃３）における通信品質に対するオフセット値（Ｏｆｆｓｅｔｎ）及びセル＃１における通信品質に対するオフセット値（Ｏｆｆｓｅｔｓ）を用いて、かかる周辺セル（セル＃２、＃３）のいずれかに対してセル再選択を行うか否かについて判定するように構成されている。
【００６０】
具体的には、セル再選択処理部２２は、以下の（式２）が満たされる場合、待ち受けセルをセル＃１（第１セル）からセル＃２（第２セル）に切り替えるセル再選択を行うように構成されている。
Ｑｎ＋Ｏｆｆｓｅｔｎ＞Ｑｓ＋Ｏｆｆｓｅｔｓ＋Ｈｙｓｔ  …  （式２）
【００６１】
ここで、「Ｑｓ」は、セル＃１における通信品質であり、「Ｑｎ」は、セル＃２における通信品質である。また、「Ｏｆｆｓｅｔｓ」は、セル＃１における通信品質に対するオフセット値であり、「Ｏｆｆｓｅｔｎ」は、セル＃２における通信品質に対するオフセット値であり、「Ｈｙｓｔ」は、セル＃１の形状や周囲環境を考慮して設定されているパラメータで、頻繁なセル再選択やピンポン防止のために用いられる。
【００６２】
測定報告送信部２３は、セル＃１（第１セル）をサービングセルとしている場合に、セル＃１の周辺セル（セル＃２、＃３）における通信品質に対するオフセット値（Ｏｆｆｓｅｔｎ）及びセル＃１における通信品質に対するオフセット値（Ｏｆｆｓｅｔｓ）を用いて、無線基地局＃１に対して測定報告を通知するか否かについて判定するように構成されている。
【００６３】
具体的には、測定報告送信部２３は、上述の（式２）が満たされる場合、無線基地局＃１に対して測定報告を通知するように構成されている。
【００６４】
ハンドオーバ処理部２４は、無線基地局＃１から通知されたハンドオーバ指示に応じて、サービングセルをセル＃１（第１セル）からセル＃２（第２セル）に切り替えるハンドオーバを行うように構成されている。
【００６５】
（本発明の第１の実施形態に係る移動通信システムの動作）
図６及び図７を参照して、本発明の第１の実施形態に係る移動通信システムの動作について説明する。
【００６６】
第１に、図６を参照して、Ｉｄｌｅ状態の移動局ＵＥによってセル再選択が行われる場合の動作について説明する。
【００６７】
図６に示すように、ステップＳ１０１において、Ｉｄｌｅ状態の移動局ＵＥが、待ち受けセルをセル＃１からセル＃２に切り替えるセル再選択を行う。
【００６８】
ステップＳ１０２において、移動局ＵＥが、第１オフセット値として管理していたオフセット値（例えば、セル＃３における通信品質に対するオフセット値）を消去し、無線基地局＃２から新たに通知されたオフセット値を受信して管理する。
【００６９】
なお、移動局ＵＥは、無線基地局＃２から、第２オフセット値として管理しているオフセット値（例えば、セル＃１、＃２における通信品質に対するオフセット値）を受信した場合、受信したオフセット値によって、管理しているオフセット値を更新する（上書きする）。
【００７０】
ステップＳ１０３において、移動局ＵＥは、上述の（式２）を満たす周辺セルが存在するか否かについて判定する。ここで、移動局ＵＥは、特定セルのオフセット値を管理していない場合、上述の（式２）において、かかる特定セルにおけるオフセット値を「０ｄＢ」として、上述の判定を行うものとする。
【００７１】
上述の（式２）を満たす周辺セルが存在すると判定された場合、ステップＳ１０１において、移動局ＵＥは、かかる周辺セルに対してセル再選択を行う。一方、上述の（式２）を満たす周辺セルが存在しないと判定された場合、本動作は、ステップＳ１０３を繰り返す。
【００７２】
第２に、図７を参照して、Ａｃｔｉｖｅ状態の移動局ＵＥによってハンドオーバが行われる場合の動作について説明する。
【００７３】
図７に示すように、ステップＳ２０１において、Ａｃｔｉｖｅ状態の移動局ＵＥが、サービングセルをセル＃１からセル＃２に切り替えるハンドオーバを行う。
【００７４】
ステップＳ２０２において、移動局ＵＥが、第１オフセット値として管理していたオフセット値（例えば、セル＃３における通信品質に対するオフセット値）を消去し、無線基地局＃２から新たに通知されたオフセット値を受信して管理する。
【００７５】
なお、移動局ＵＥは、無線基地局＃２から、第２オフセット値として管理しているオフセット値（例えば、セル＃１、＃２における通信品質に対するオフセット値）を受信した場合、受信したオフセット値によって、管理しているオフセット値を更新する（上書きする）。
【００７６】
ステップＳ２０３において、移動局ＵＥは、上述の（式２）を満たす周辺セルが存在するか否かについて判定する。ここで、移動局ＵＥは、特定セルのオフセット値を管理していない場合、上述の（式２）において、かかる特定セルにおけるオフセット値を「０ｄＢ」として、上述の判定を行うものとする。
【００７７】
上述の（式２）を満たす周辺セルが存在すると判定された場合、ステップＳ２０４において、移動局ＵＥは、無線基地局＃１に対して、測定報告を送信する。一方、上述の（式２）を満たす周辺セルが存在しないと判定された場合、本動作は、ステップＳ２０３を繰り返す。
【００７８】
移動局ＵＥは、ステップＳ２０５において、無線基地局＃１から、ハンドオーバ指示を受信した場合、ステップＳ２０１において、当該ハンドオーバ指示によって指示されている周辺セルに対してハンドオーバを行う。
【００７９】
一方、移動局ＵＥが、ステップＳ２０５において、無線基地局＃１から、ハンドオーバ指示を受信しなかった場合、本動作は、ステップＳ２０３に戻る。
【００８０】
（本発明の第１の実施形態に係る移動通信システムの作用・効果）
本実施形態に係る移動通信システムによれば、第１オフセット値及び第２オフセット値を用いることによって、移動局ＵＥの待ち受けセル或いはサービングセルの特定セルへの切り替えを容易或いは困難にすることを可能としつつ、各無線基地局ｅＮＢにおけるケーブル損失差による上下リンクのアンバランスを緩和することができ、セル再選択及びハンドオーバのパフォーマンスを向上させることができる。
【００８１】
また、本実施形態に係る移動通信システムによれば、全ての周辺セルにおいて共通なオフセット値を第２オフセット値とすることによって、ＮＣＬにおけるオーバーヘッドを削減することができると共に、特定セルにおける設定漏れをカバーすることができる。
【００８２】
（変更例）
上述の実施形態によれば、移動局ＵＥは、セル再選択やハンドオーバが行われる度に、第２オフセット値を蓄積していくこととなるが、移動局ＵＥのメモリ量には限界があるため、蓄積できる第２オフセット値には限界がある。
【００８３】
そこで、本変更例に係る移動通信システムは、各移動局ＵＥにおいて蓄積可能な第２オフセット値の最大数を規定することによって、かかる最大数を超える第２オフセット値について、古く受信したものから順に破棄するように構成されている。
【００８４】
例えば、移動局ＵＥは、第１セル、第２セル、第３セルの順に、セル再選択を行った場合で、第１セルから１７個のセル（第１セル或いは周辺セル）に対する第２オフセット値を受信し、第２セルから新たな１０個のセル（第２セル或いは周辺セル）に対する第２オフセット値を受信した後、第３セルから新たな８個のセル（第３セル或いは周辺セル）に対する第２オフセット値を受信した場合には、上述の最大数が３２であれば、第１セルから受信した第２オフセット値３個を破棄することができる。
【００８５】
このとき、移動局ＵＥは、第１セルから受信した周辺セルリストの下位から順に３個の第２オフセット値を選択して廃棄してもよい。
【００８６】
このような選択方法は、より長く移動局ＵＥに保持させたい第２オフセット値を、上位から順に含むように周辺セルリストが構成されている場合に有効である。
【００８７】
なお、移動局ＵＥに蓄積されている第１オフセット値及び第２オフセット値の総量に対して、蓄積可能なオフセット値の最大数が規定されてもよい。
【００８８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９２】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるオフセット値の通知方法を説明するための図である。
【図４】本発明の第１の実施形態に係る無線基地局によるオフセット値の通知方法を説明するための図である。
【図５】本発明の第１の実施形態に係る移動局の機能ブロック図である。
【図６】本発明の第１の実施形態に係る移動局がセル再選択を行う動作を示すフローチャートである。
【図７】本発明の第１の実施形態に係る移動局がハンドオーバを行う動作を示すフローチャートである。
【図８】従来の移動通信システムについて説明するための図である。
【図９】従来の移動通信システムについて説明するための図である。
【符号の説明】
【００９３】
ｅＮＢ…無線基地局
１１…オフセット値通知部
１２…測定報告受信部
１３、２４…ハンドオーバ処理部
ＵＥ…移動局
２１…オフセット値受信部
２２…セル再選択処理部
２３…測定報告送信部
【図１】
2009147469.tif 000003
【図２】
2009147469.tif 000004
【図３】
2009147469.tif 000005
【図４】
2009147469.tif 000006
【図５】
2009147469.tif 000007
【図６】
2009147469.tif 000008
【図７】
2009147469.tif 000009
【図８】
2009147469.tif 000010
【図９】
2009147469.tif 000011